(57)【要約】【課題】自動給水装置の有無により要求される動作仕様が異なるためにそれぞれの動作仕様のディスポーザーを設けることなく、自動給水装置の接続の有無により、それぞれの場合に適した運転が行えるディスポーザーを提供することを目的とする。【解決手段】ディスポーザー本体の制御部に設けられた自動給水装置用のコネクタ１７に動作仕様を切り替える為のピン３１、３２を追加することにより、自動給水装置のコネクタ１８の有無にて標準仕様、自動給水仕様に適した動作仕様へ設定でき、それぞれの専用機種を設けることがなく、動作仕様の設定間違いの恐れがないディスポーザーを提供できる。【選択図】図２
2006015289.tif 000002
【特許請求の範囲】
【請求項１】
モーターの回転軸に取り付けられた回転刃と粉砕室内に設けられた固定刃により前記回転刃が回転することにより粉砕室内に投入された厨芥物を粉砕するディスポーザーであって、前記ディスポーザーへ水を供給する自動給水装置を接続することにより、粉砕時に水をディスポーザーに供給する信号を前記自動給水装置に出力する出力手段を備えたことを特徴とするディスポーザー。
【請求項２】
前記ディスポーザーへ前記自動給水装置の接続の有無により、それぞれに適切なディスポーザーの運転を行うことを特徴とする請求項１記載のディスポーザー。
【請求項３】
前記ディスポーザーの運転スイッチにより前記ディスポーザーの運転にあわせ前記自動給水装置を運転することができることを特徴とする請求項１または２記載のディスポーザー。
【請求項４】
モーターの回転軸に取り付けられた回転刃と粉砕室内に設けられた固定刃により前記回転刃が回転することにより粉砕、室内に投入された厨芥物を粉砕するディスポーザーであって、前記ディスポーザーは前記ディスポーザーへ水を供給する自動給水装置を接続する接続部と、前記自動給水装置の接続の有無を判断する検知部と、前記自動給水装置へ給水信号を出力する信号出力部とを有することを特徴とするディスポーザー。
【請求項５】
前記検知部の信号に基づき、ディスポーザーの運転方法を可変することを特徴とする請求項４記載のディスポーザー。
【発明の詳細な説明】
【技術分野】
【０００１】
本発明は、厨芥物を粉砕し、排出するディスポーザーに関するものである。
【背景技術】
【０００２】
ディスポーザーを使用する際には、粉砕物で排水管が閉塞しないよう粉砕中とその前後に給水を行い、十分な水量を確保しなければならないがユーザーによって給水量にばらつきがあった。この問題を解決する為にディスポーザーの運転に合わせて自動的に給水を行う事ができる自動給水機能を備えたディスポーザーが近年販売されている。
【０００３】
しかしながら、既に設置されているディスポーザーが運転スイッチをＯＮするとモーターが回転し粉砕が開始される動作仕様の場合、自動給水装置をこのディスポーザーに設置した時、ディスポーザーの運転を開始するために運転スイッチをＯＮにすると給水と粉砕を同時に開始させることしかできず、粉砕が開始される前に給水を行うことができないため、十分な給水量を確保できなかった。また、逆に自動給水装置対応のディスポーザーの場合、食器や野菜などの洗い水や貯め水等を有効利用したいユーザーにとっては水の無駄使い感を感じており、自分で必要量を給水したいという要望があるが、自動給水装置に対応したディスポーザーの場合、ディスポーザーの運転スイッチをＯＮにして給水が開始されてから数秒後にモーターが回転し粉砕を開始するため、自動給水装置を外した場合、数秒間は粉砕が開始されないため使い勝手が悪かった。このため自動給水装置の有無によりそれぞれの動作仕様を持つディスポーザーを用意しなければならなかった。
【特許文献１】特開平１１−２８３８２号公報
【特許文献２】特開平９−１５５２１８号公報
【発明の開示】
【発明が解決しようとする課題】
【０００４】
解決しようとする課題は、自動給水装置の有無により要求される動作仕様が異なるためにそれぞれの動作仕様のディスポーザーを用意する必要があった点である。
【０００５】
本発明は、この課題を解決する為に自動給水装置の有無により、それぞれの場合に適した運転が行えるディスポーザーを１機種で提供できること最も主要な特徴とする。
【課題を解決するための手段】
【０００６】
上記課題を解決するために、本発明のディスポーザーは、ディスポーザー本体の制御部に設けられた自動給水装置用のコネクタに動作仕様を切り替える為のピンを設けることにより、自動給水用装置のピン接続の有無により、標準仕様、自動給水仕様の動作仕様への設定ができるようにした。
【発明の効果】
【０００７】
本発明のディスポーザーは、ディスポーザー本体の制御部に設けられた自動給水装置用のコネクタに動作仕様を切り替える為の端子を追加することにより、自動給水装置のコネクタの有無にて標準仕様、自動給水仕様に適した動作仕様へ設定されるため、それぞれの専用機種を設けることがなく、動作仕様の設定間違いの恐れがないという利点がある。
【発明を実施するための最良の形態】
【０００８】
自動給水装置の有無のそれぞれに適した動作仕様のディスポーザーを提供する目的を簡単な構成で実現した。
【０００９】
（実施の形態１）
図１は本発明のディスポーザーと接続された自動給水装置の構成図である。
【００１０】
１はディスポーザー本体で、ディスポーザー本体１には動力源となるモーター２と、前モーター２の回転軸３の先端に取り付けられた回転刃４と、厨芥物の粉砕が行われる粉砕室５と、前記粉砕室５の内壁の設けられた固定刃６が内蔵されている。７は厨芥物の投入口とディスポーザー本体１とシンク８の固定を兼ねた投入口、９は投入口７に脱着可能な蓋で運転スイッチを兼ねている蓋スイッチ、１０はディスポーザー本体１に取り付けられディスポーザーの動作を制御するディスポーザー制御ボックスである。１１は自動給水装置制御ボックスで前記自動給水装置制御ボックス１１に取り付けられたケーブル１２を介してディスポーザー制御ボックス１０へ接続されている。１３は給水管１４の水の供給、止水を行う電磁弁で、自動給水装置制御ボックス１０によって制御される。給水時には電磁弁１３を通過した水は給水管１４を通過し、吐出口１５より吐水されて、シンク８を介して投入口７よりディスポーザーへ給水される。ここでディスポーザーはディスポーザー本体１に取り付けられているディスポーザー制御ボックス１０と投入口７及び蓋スイッチ９のことであり、自動給水装置とは自動給水装置制御ボックス１１、ケーブル１２、給水弁１３のことを指す。図２は本発明のディスポーザーと自動給水装置との接続部分の回路図でディスポーザー制御ボックス１０とケーブル１２の接続部分の詳細を示している。
【００１１】
図２において１６はケーブル１２の先端に取り付けられているコネクタで自動給水装置を使用する際にはディスポーザー制御ボックス１０内のコネクタ１７へ接続する。コネクタ１６、コネクタ１７は通常ナイロン製のワンタッチで脱着できるものが使用される。１８はディスポーザー制御ボックス１０内の自動給水信号１９に従い、トランジスタ２０をＯＮ、ＯＦＦさせ、自動給水装置制御ボックス１１へ電磁弁１３を駆動させるための自動給水信号で、自動給水信号１８と自動給水信号１９は同期した信号である。２１はコネクタ１７へコネクタ１６が接続されたことを検知し、ソフトの切替を行うソフト切替信号である。
【００１２】
コネクタ１７はピン３１、ピン３２、ピン３３、ピン３４を備え、自動給水装置のケーブル１２と接続される接続部である。ケーブル１２が接続されるとピン３１とピン３２とで構成される検知部がコネクタ１６により接続されソフト切替信号が発生し、自動給水装置の接続を検知する。自動給水装置が接続されると、ディスポーザーの動作に従いディスポーザー制御ボックス１０は自動給水信号１９を発生させ、ピン３３とピン３４で構成される信号出力部より自動給水信号１８として自動給水装置制御ボックス１１へ出力される。
【００１３】
コネクタ１７、自動給水信号１９、トランジスタ２０、ソフト切替信号２１は紙フェノールやガラスエポキシが基材となるプリント基板上に構成される。また、自動給水信号１９、ソフト切替信号２０などの各信号はロジックＩＣやマイコン等によって制御される。
【００１４】
図３は自動給水仕様タイムチャートで、自動給水装置がディスポーザへ接続された場合の運転状態を示す。図４は標準仕様タイムチャートで、自動給水装置がディスポーザへ接続されていない場合の運転状態を示す。
【００１５】
次に実施の形態１の動作について説明をする。
【００１６】
まず、自動給水装置がディスポーザーへ接続されている場合の動作を説明する。図２よりディスポーザー制御ボックス１０はディスポーザー制御ボックス１０内のコネクタ１７に自動給水装置のケーブル１２の先端に取り付けられたコネクタ１６が接続されている為、ソフト切替信号２１は、ハイレベルとなりマイコンは自動給水仕様であることを認識す
る。図３の自動給水仕様タイムチャートより、蓋スイッチ９を取り外し、厨芥物を投入口７より粉砕室５へ投入し、蓋スイッチ９を投入口７に装着して蓋スイッチ９をＯＮにすると、自動給水信号１９がＯＮとなりケーブル１２を通じて信号が伝達され、電磁弁１３がＯＮし吐水口１５より吐水が開始される。また、蓋スイッチ９にてＯＮしてから３〜５秒後にモーターは回転し、ディスポーザーは厨芥物の粉砕を開始する。ここで蓋スイッチ９によるディスポーザーの運転方法は蓋スイッチ９を投入口７に装着する事によってＯＮさせたり、蓋スイッチ９を投入口７に装着してから蓋スイッチ７を右に約４５度回転させてＯＮさせる方法等が用いられる。蓋スイッチ９をＯＦＦにするとモーター２は回転を停止し、粉砕を終了する。蓋スイッチ９をＯＦＦにしてから５〜１０秒後に自動給水信号１９がＯＦＦとなるためケーブル１２を通じて信号が伝達され、電磁弁１１がＯＦＦし吐水口１５からの吐水が停止し、運転を終了する。このようにモーター２が回転し粉砕しているときはもちろん、その前後にディスポーザーへ給水することにより、十分にディスポーザーへ水が供給されるので、排水管の勾配がゆるい場所の排水管の閉塞を防ぐことが可能となる。
【００１７】
次に、自動給水装置がディスポーザーへ接続されていない場合の動作を説明する。図２よりディスポーザー制御ボックス１０はディスポーザー制御ボックス１０内のコネクタ１７に自動給水装置のケーブル１２の先端に取り付けられたコネクタ１６が接続されていないため、ソフト切替信号２１はグランドレベルとなりマイコンは標準仕様であることを認識する。図４の標準仕様タイムチャートより、蓋スイッチ９をＯＮして運転を開始するとモーター２が回転し、ディスポーザーは厨芥物の粉砕を開始する。蓋スイッチ９をＯＦＦにするとモーター２は回転を停止し、粉砕を終了する。自動給水信号は標準仕様の場合はＯＮしない。このように蓋スイッチ９の動きに同期して破砕を開始、停止できるため自動給水装置を必要としない排水管の勾配が取れる場所や貯め水を用いるユーザーがディスポーザーの動作にストレスなく使用できる。
【００１８】
また、ディスポーザーと自動給水装置の接続は本実施の形態のようなコネクタやねじ止め式の端子台などの簡易なものからパソコンに用いられているＵＳＢなどさまざまな接続方法によって実現の可能であり、動作仕様も複数設けることができる。
【００１９】
このような実施の形態を採用することにより、ディスポーザーを取り替えることなく、自動給水装置の有無に適した動作仕様が設定できる。ディスポーザーを設置する施工者も自動給水装置とディスポーザーを１つのコネクタで接続するだけで自動給水信号の接続とソフト仕様の設定変更ができるので動作仕様の設定漏れもなく施工が容易である。また、製造、流通関係にとっても標準仕様と自動給水仕様の２つのディスポーザーが１機種となっているため、生産コスト、物流管理上のメリットもうまれる。
【産業上の利用可能性】
【００２０】
本発明のディスポーザーは、自動給水装置のコネクタの有無により標準仕様、自動給水仕様に適した動作仕様が容易に設定できるため、１機種でどちらの仕様にも対応できる。拡大傾向にあるディスポーザー市場にとって本発明は非常に有効である。
【図面の簡単な説明】
【００２１】
【図１】本発明のディスポーザーと接続された自動給水装置の構成図
【図２】本発明のディスポーザーと自動給水装置との接続部分の回路図
【図３】自動給水仕様タイムチャート
【図４】標準仕様タイムチャート
【符号の説明】
【００２２】
１    ディスポーザー本体
２    モーター
３    回転軸
４    回転刃
５    粉砕室
６    固定刃
７    投入口
８    シンク
９    蓋スイッチ
１０    ディスポーザー制御ボックス
１１    自動給水装置制御ボックス
１２    ケーブル
１３    電磁弁
１４    給水管
１５    吐出口
１６、１７    コネクタ
１８、１９    自動給水信号
２０    トランジスタ
２１    ソフト切替信号
３１、３２、３３、３４    ピン
【図１】
2006015289.tif 000003
【図２】
2006015289.tif 000004
【図３】
2006015289.tif 000005
【図４】
2006015289.tif 000006